(57)【要約】      （修正有）【課題】封止栓を用いることで容器に対して注出器を打栓する際に生じる内容液の飛散を防止できると共に、組み付けが煩雑になることなく、コスト性に優れたオーバーキャップ付き注出器の封止構造を提供する。【解決手段】容器1の口部1bに掛り止めされるベース2aを有しノズル2aの通路Rを通して内容液が注出される注出器2と、ノズルの先端開口Aを取り囲む切断可能な連結部4を介して連結されて先端開口を密閉する封止栓3と、容器1に装着されるオーバーキャップ5とを備え、封止栓は、先端開口に圧入嵌合される栓本体3aを有し、栓本体を取り囲むように連結部を設けることで、先端開口との間が密閉された状態に連結され、オーバーキャップは、その装着に際し、封止栓をノズルに向けて押し下げて連結部を切断すると共に栓本体を先端開口に圧入させる突起6を有し、封止栓には、先端開口からの取り外しのためのプルリング8が設けられている。【選択図】図１
2010235178.tif 000002
【特許請求の範囲】
【請求項１】
容器の口部に掛り止めされるベースを有し当該ベースから起立するノズルの通路を通して内容液が注出される注出器と、ノズルの先端開口を取り囲む切断可能な連結部を介して連結されて当該先端開口を密閉する封止栓と、容器又は注出器に装着されてその内側に注出器を収納するオーバーキャップとを備え、
封止栓は、ノズルの先端開口に嵌合される栓本体を有し、当該栓本体を取り囲むように前記連結部を設けることで、ノズルの先端開口との間が密閉された状態に連結され、
オーバーキャップは、その装着に際し、封止栓をノズルに向けて押し下げて前記連結部を切断すると共に栓本体を先端開口に嵌合させる突起を有し、更に、
封止栓には、ノズルの先端開口からの取り外しのための操作片が設けられていることを特徴とするオーバーキャップ付き注出器の封止構造。
【請求項２】
請求項１において、操作片は、ノズルの先端開口周りに配置されたリングを有する操作片であることを特徴とするオーバーキャップ付き注出器の封止構造。
【請求項３】
請求項１において、操作片は、ノズルの先端開口と直交するように配置されたリングを有する操作片であることを特徴とするオーバーキャップ付き注出器の封止構造。
【発明の詳細な説明】
【技術分野】
【０００１】
本発明は、例えばスクイズ容器に採用されるオーバーキャップ付き注出器の封止構造に関するものである。
【背景技術】
【０００２】
ノズルを有する注出器を容器の口部に対して打栓させる場合、注出器が容器の口部に打栓されるときの衝撃でノズルの先端開口より内容液が飛散してしまうことがある。こうした内容液の飛散を防止する手段としては、ノズルの先端開口に取り外し可能な栓を嵌合させる構造のものが挙げられる（例えば、特許文献１参照）。
【先行技術文献】
【特許文献】
【０００３】
【特許文献１】特開２００４−１４２７４９号公報
【発明の概要】
【発明が解決しようとする課題】
【０００４】
しかしながら、こうした構造を採用する場合、注出器に対して封止栓を別途組み付ける必要がある。このように封止栓を予め別体として用いると、部品点数の増加によって組み付けが煩雑になると共に、コストの上昇を招くという問題がある。
【０００５】
本発明の目的とするところは、封止栓を用いることで容器に対して注出器を打栓する際に生じる内容液の飛散を防止できると共に、組み付けが煩雑になることなく、コスト性に優れたオーバーキャップ付き注出器の封止構造を提供することにある。
【課題を解決するための手段】
【０００６】
本発明である、オーバーキャップ付き注出器の封止構造は、容器の口部に掛り止めされるベースを有し当該ベースから起立するノズルの通路を通して内容液が注出される注出器と、ノズルの先端開口を取り囲む切断可能な連結部を介して連結されて当該先端開口を密閉する封止栓と、容器又は注出器に装着されてその内側に注出器を収納するオーバーキャップとを備え、封止栓は、ノズルの先端開口に嵌合される栓本体を有し、当該栓本体を取り囲むように前記連結部を設けることで、ノズルの先端開口との間が密閉された状態に連結され、オーバーキャップは、その装着に際し、封止栓をノズルに向けて押し下げて前記連結部を切断すると共に栓本体を先端開口に嵌合させる突起を有し、更に、封止栓には、ノズルの先端開口からの取り外しのための操作片が設けられていることを特徴とするものである。
【０００７】
本発明に係る、操作片は、ノズルの先端開口周りに、当該ノズルを取り囲むように配置されたリングを有する操作片とすることができる。また、本発明に係る、操作片は、ノズルの先端開口と直交するように配置されたリングを有する操作片とすることもできる。
【発明の効果】
【０００８】
本発明によれば、封止栓を注出器と共に一体に設けることで、注出器を容器の口部に対して、いわゆる、打栓によって掛り止めするときに、掛り止めによる衝撃でノズルの先端開口より内容液が飛散してしまうことがない。
【０００９】
また、本発明によれば、オーバーキャップを装着することにより、封止栓をノズルに向けて押し下げることで、ノズルの先端開口を密閉することができる。即ち、本発明によれば、封止栓を予め別体として設けることなく、オーバーキャップを注出器又は容器に装着する際の一連の動作によってノズルの先端開口に嵌合させることができる。
【００１０】
従って、本発明によれば、封止栓を用いることで容器に対して注出器を打栓等する際に生じる内容液の飛散を防止できると共に、組み付けが煩雑になることなく、コスト性に優れる。
【００１１】
本発明に係る、操作片として、ノズルの先端開口周りに、当該ノズルを取り囲むように配置されたリングを有する操作片を採用すれば、開栓を目的とした封止栓の取り外しが容易になる。また、本発明に係る、操作片として、ノズルの先端開口と直交するように配置されたリングを有する操作片を採用すれば、開栓を目的とした封止栓の取り外しが容易になる。
【図面の簡単な説明】
【００１２】
【図１】本発明であるオーバーキャップ付き注出器の封止構造に係る第１の形態を採用したスクイズ容器であって、オーバーキャップを装着する前の状態を一部断面で示す側面図である。
【図２】(a),(b)はそれぞれ、同形態に係る、封止栓を備えた注出器の平面図及び、同注出器を一部断面で示す側面図である。
【図３】(a),(b)はそれぞれ、同形態に係る、オーバーキャップを装着することで注出器の先端開口を封止栓で密閉した状態及び、封止栓を取り外してオーバーキャップを再度装着した状態を側面から示す拡大断面図である。
【図４】(a),(b)はそれぞれ、本発明であるオーバーキャップ付き注出器の封止構造に係る第２の形態にて、オーバーキャップを装着することで注出器の先端開口を封止栓で密閉した状態及び、封止栓を取り外してオーバーキャップを再度装着した状態を側面から示す拡大断面図である。
【図５】(a),(b)はそれぞれ、同形態に係る、封止栓を備えた注出器の平面図及び、同注出器を一部断面で示す側面図である。
【発明を実施するための形態】
【００１３】
以下、図面を参照して、本発明である、オーバーキャップ付き注出器の封止構造を詳細に説明する。
【００１４】
図１は、本発明であるオーバーキャップ付き注出器の封止構造に係る、第１の形態を採用したスクイズ容器を一部断面で示し、１は、変形及び復元の可能な胴部１ａを有し軟材質からなるスクイズ容器である。スクイズ容器（以下、「容器」）１の口部１ｂには、ボトル軸線Ｏ周りに延在する環状の膨出部１ｃが設けられている。
【００１５】
２は、口部１ｂに掛り止めされるベース２ａを有し、このベース２ａから起立するノズル２ｂの通路Ｒを通して内容液が注出される注出器である。ノズル２ｂの先端にはリップ部２ｆが一体に形成され、通路Ｒを通じる先端開口Ａが形成されている。ベース２ａは、筒状の内周壁２ｃと、この内周壁２ｃ周りに配置される筒状の外周壁２ｄとを有し、内周壁２ｃと外周壁２ｄとで口部１ｂを挟持すると共に、外周壁２ｄに設けられた膨出部２ｅを口部側の膨出部１ｃに引っ掛けることで、口部１ｂに掛り止めされる。
【００１６】
３は、ノズル２の先端開口Ａを密閉する封止栓である。封止栓３は、図３に示すように、先端開口Ａに圧入嵌合させることができる栓本体３ａを有する。また封止栓３は、図２(b)に示すように、栓本体３ａを取り囲むように連結部４が栓本体３ａの全周に亘って設けられることで、先端開口Ａとの間が密閉された状態になるように連結されている。
【００１７】
また、連結部４は切断可能な薄肉部としてなり、注出器２及び封止栓３と共に一体に成形されている。これにより、注出器２は、連結部４を切断して封止栓３を分離しない限り、先端開口Ａが密閉されたまま、一体物として口部１ｃに取り付けられる。
【００１８】
また、連結部４を切断可能にしたことから、封止栓３をノズル２に押し込むことにより連結部４が切断されると、封止栓３の栓本体３ａが先端開口Ａに圧入嵌合される。また、栓本体３ａには、ノズル２のリップ部２ｆに掛止される係止部としてのフランジ３ｂが一体に設けられている。フランジ３ｂは、ノズル２の先端に形成されたリップ部２ｆに接触することで、栓本体３ａの圧入量を規制する。封止栓３はノズル２内に押し込まれることで連結部４が切断され、先端開口Ａは栓本体の外周面とノズル内周により密閉状態は保たれる。
【００１９】
５は、容器１に装着されてその内側に注出器２を収納するオーバーキャップである。オーバーキャップ２は、容器１に設けられた雄ねじ部１ｓに合さる雌ねじ５ｓを有し、容器１に対して着脱可能にねじ付けることができる。
【００２０】
オーバーキャップ２は、図１に示すように、その内側から一体に垂下して、オーバーキャップ２の装着に際して、封止栓３をノズル２に向けて押し下げて連結部４を切断すると共に栓本体３ａを先端開口Ａに圧入させる突起６を一体に有する。本形態では、突起６を、図１(c)に示すように、小径部６ａと大径部６ｂとからなる段付きの筒状壁として構成し、小径部６ａと大径部６ｂとの間には、段差部６ｃが形成されている。
【００２１】
これに対し、栓本体３ａには、小径部６ａが挿入される凹部３ｂが形成されている。小径部６ａの挿入は、図３(a)に示すように、段差部６ｃが栓本体３ａに設けたフランジ３ｂの上面に接触することで規制される。これにより、オーバーキャップ５のねじ付けが進行すると、封止栓３をノズル２ｂに押し込んで連結部４を切断するのに次いで、当該封止栓３を先端開口Ａ内に圧入嵌合させる。封止栓３の圧入嵌合は、図３(a)に示すように、フランジ３ｂがリップ部２ｆに接触することで規制される。
【００２２】
先端開口Ａに圧入嵌合された封止栓３を取り除くに際しては、封止栓３と一体に設けられた操作片８を用いる。操作片８は、図２(a)に示すように、ノズル２ｂを、その先端開口Ａ周りに取り囲むプルリング８ａを有する。プルリング８ａは、基部８ｂを介してノズル２ｂに一体に設けられている。これにより、封止栓３とプルリング８ａとの間からプルリング８ａに指を通して引き上げると、先端開口Ａから封止栓３を容易に取り除くことができる。なお、プルリング８ａは、同図に示すように、封止栓３の周りに複数のアーム８ｃを設け、これらアーム８ｃに切断可能な連結部８ｄを介して連結しておくことができる。
【００２３】
封止栓３を取り除いて先端開口Ａから内容液を注出した後は、再び容器１にオーバーキャップ５をねじ付ける。このとき、図３(b)に示すように、オーバーキャップ５に設けた突起６の大径部６ｂが先端開口Ａに嵌合接触することで、先端開口Ａは密閉される。
【００２４】
本形態によれば、図２(b)に示すように、注出器２に対して封止栓３を一体に設けることで、注出器２を口部１ｂに勢い良く押し付けて掛り止めする、いわゆる、打栓がなされるときに、掛り止めによる衝撃で先端開口Ａより内容液が吐出してしまうことがない。
【００２５】
また、本形態によれば、オーバーキャップ５を装着することにより、封止栓３をノズル２ｂに向けて押し下げることで、先端開口Ａを密閉することができる。即ち、本形態によれば、封止栓３を予め別体として設けることなく、オーバーキャップ５を容器１に装着する際の一連の動作によって先端開口Ａに圧入嵌合させることができる。
【００２６】
従って、本形態によれば、封止栓３を用いることで容器１に対して注出器２を打栓等する際に生じる内容液の飛散を防止できると共に、組み付けが煩雑になることなく、コスト性に優れる。なお、突起６は、図１(c)に示すように、その小径部６ａを複数のプレートを放射線状に配置なるものとすることも可能である。
【００２７】
また、本形態の如く、操作片として、先端開口Ａ周りに、ノズル２ｂを取り囲むように配置されたリング９ａを有するプルリングを採用すれば、開栓を目的とした封止栓３の取り外しが容易になる。
【００２８】
図４は、本発明であるオーバーキャップ付き注出器の封止構造に係る、第２の形態を採用したスクイズ容器を一部断面で示し、図５は、同形態に係る、封止栓３を備えた注出器２を示すなお、以下の説明において、第１の形態と同一の機能を奏する部分は同一符号をもって、その説明を省略する。
【００２９】
本形態に係る、封止栓３は、図５(b)に示す如く、栓本体３ａの一部を下向きに膨出させることで、ノズル２のリップ部２ｆに掛止される係止部としての段差部３ｓが形成されている。段差部３ｓも、ノズル２の先端に形成されたリップ部２ｆに接触することで、栓本体３ａの圧入量を規制する。封止栓３はノズル２内に押し込まれることで連結部４が切断され、先端開口Ａは栓本体の外周面とノズル内周により密閉状態は保たれる。
【００３０】
オーバーキャップ５にも、図４に示すように、容器１への装着に際し、封止栓３をノズル２に向けて押し下げて連結部４を切断すると共に栓本体３ａを先端開口Ａに圧入させる突起９が一体に設けられている。
【００３１】
本形態に係る、突起９は、同一の外径寸法からなる筒状壁として構成されている。突起９の挿入は、図４(a)に示すように、突起９の先端９ａが栓本体３ａの凹部３ｃに接触することで規制される。これにより、第１の形態と同様、オーバーキャップ５のねじ付けが進行すると、封止栓３をノズル２ｂに押し込んで連結部４を切断するのに次いで、当該封止栓３を先端開口Ａ内に圧入嵌合させる。封止栓３の圧入嵌合は、図４(a)に示すように、段差３ｆがリップ部２ｆに接触することで規制される。
【００３２】
先端開口Ａに圧入嵌合された封止栓３を取り除くに際しては、封止栓３と一体に設けられた操作片１０を用いる。操作片１０は、図４(a)に示すように、先端開口Ａと直交するように配置されるプルリング１０ａを有し、このプルリング１０ａが基部１０ｂを介してノズル２ｂに一体に設けられている。これにより、プルリング１０ａに指を通して引き上げると、先端開口Ａから封止栓３を容易に取り除くことができる。
【００３３】
封止栓３を取り除いて先端開口Ａから内容液を注出した後は、再び容器１にオーバーキャップ５をねじ付ける。このときも、第１の形態と同様、図４(b)に示すように、オーバーキャップ５に設けた突起９が先端開口Ａに嵌合すると共に、オーバーキャップ５の裏面がリップ部２ｆと接触することで、先端開口Ａは密閉される。
【００３４】
特に、本形態の如く、操作片として、先端開口Ａと直交するように配置されたリング１０ａを有するプルリングを採用すれば、開栓を目的とした封止栓３の取り外しが容易になる。
【００３５】
上述したところは、本発明の好適な形態を示したものであるが、用途に応じて様々に設計変更することができる。例えば、オーバーキャップ５は、容器１に螺着させることもできる。また、本発明に係る容器も、スクイズ容器に限定されることなく、剛性の高い保形性を有する容器など、様々な容器を採用できる。加えて、各形態に採用された各構成はそれぞれ、互いに適宜組み合わせることができる。
【符号の説明】
【００３６】
１      スクイズ容器
１ａ    胴部
１ｂ    口部
２      注出器
２ａ    ベース
２ｂ    ノズル
３      封止栓
３ａ    栓本体
３ｂ    凹部
４      連結部
５      オーバーキャップ
６      突起
６ａ    小径部
６ｂ    大径部
６ｃ    段部
８      操作片（プルリング）
８ａ    リング
８ｂ    基部
９      突起
１０    操作片（プルリング）
１０ａ  リング
１０ｂ  基部
【図１】
2010235178.tif 000003
【図２】
2010235178.tif 000004
【図３】
2010235178.tif 000005
【図４】
2010235178.tif 000006
【図５】
2010235178.tif 000007